(57)【要約】【課題】交換レンズ用途として使用でき、動画撮影にも好適な、高性能な望遠レンズを提供すること。【解決手段】物体側より順に、正屈折力の第１群と、負屈折力の第２群と、正屈折力の第３群と、を有し、第２群を像側へ移動することによって無限遠物点から近距離物点への合焦を行い、下記の条件式（１）を満足することを特徴とする。  ０．２＜Ｙ2／Ｙ1a＜０．３２      （１）  ここで、  Ｙ2は、第２群の入射面における軸上光線の最大光線高、  Ｙ1aは、第１群の入射面における軸上光線の最大光線高、である。【選択図】図１
2016080891.tif 000002
【特許請求の範囲】
【請求項１】
物体側より順に、正屈折力の第１群と、負屈折力の第２群と、正屈折力の第３群と、を有し、前記第２群を像側へ移動することによって無限遠物点から近距離物点への合焦を行い、下記の条件式（１）を満足することを特徴とする望遠レンズ。
０．２＜Ｙ2／Ｙ1a＜０．３２      （１）
ここで、
Ｙ2は、前記第２群の入射面における軸上光線の最大光線高、
Ｙ1aは、前記第１群の入射面における軸上光線の最大光線高、
である。
【請求項２】
前記第１群は、物体側より順に、１枚または２枚の正レンズからなる第１ａ群と、負正の接合レンズと正負の接合レンズからなる第１ｂ群と、単レンズまたは接合レンズからなる第１ｃ群により構成されることを特徴とする請求項１に記載の望遠レンズ。
【請求項３】
下記の条件式（２）を満足することを特徴とする請求項２に記載の望遠レンズ。
０．５５＜Ｙ1b／Ｙ1a＜０．８５      （２）
ここで、
Ｙ1aは、前記第１群の入射面における軸上光線の最大光線高、
Ｙ1bは、前記第１ｂ群の入射面における軸上光線の最大光線高、
である。
【請求項４】
前記第２群は、接合レンズからなることを特徴とする請求項１に記載の望遠レンズ。
【請求項５】
前記第３群は、正屈折力の第３ａ群と、負屈折力の第３ｂ群と、正屈折力の第３ｃ群と、からなり、
前記第３ｂ群を光軸と垂直な方向に移動させて、手ブレを補正することを特徴とする請求項１に記載の望遠レンズ。
【請求項６】
前記第３ａ群は、単レンズまたは接合レンズにて構成されることを特徴とする請求項５に記載の望遠レンズ。
【請求項７】
前記第３ｂ群は、正負の接合レンズと負レンズにて構成されることを特徴とする請求項５に記載の望遠レンズ。
【請求項８】
前記第３ｃ群は、正負の接合レンズと正負の接合レンズにて構成されることを特徴とする請求項５に記載の望遠レンズ。
【請求項９】
下記の条件式（３）を満足することを特徴とする請求項５に記載の望遠レンズ。
７５＜νｄ1bp＜１００      （３）
ここで、
νｄ1bpは、第１ｂ群に含まれる正レンズの最小アッベ数、
である。
【請求項１０】
下記の条件式（４）を満足することを特徴とする請求項１に記載の望遠レンズ。
０．４２＜Ｄ12／Ｄ1＜０．７５      （４)
ここで、
Ｄ12は、第１ａ群の入射面から第１ｂ群の入射面までの距離、
Ｄ1は、第１ａ群の入射面から第１ｃ群の射出面までの距離、
である。
【請求項１１】
請求項１から１０のいずれか一項に記載の望遠レンズと、
撮像面を持ち且つ前記望遠レンズにより前記撮像面上に形成された像を電気信号に変換する撮像素子と、を有することを特徴とする撮像装置。
【発明の詳細な説明】
【技術分野】
【０００１】
本発明は、望遠レンズ及びそれを有する撮像装置に関するものである。特に、交換レンズシステム用途として最適な、望遠レンズに関する。
【背景技術】
【０００２】
近年、デジタルカメラの発展に伴い、種々のデジタルカメラ用交換レンズが提案されている。例えば、特許文献１では、正・負・正の３群構成において、第１群の最像側に絞りを配置し、第２群の移動により近距離物点へのフォーカスを行っている。この構成により、交換レンズ用途の３００ｍｍ／Ｆ４の望遠レンズを実現している。
また、例えば、特許文献２では、正・負・正の３群構成において、第２群の移動によりフォーカスを行い、絞りは第３群中に配置されている。この構成により、交換レンズ用途の４００ｍｍ／Ｆ２．８から８００ｍｍ／Ｆ５．６の望遠レンズを実現している。
【先行技術文献】
【特許文献】
【０００３】
【特許文献１】特開２００７−３２２９８６号公報
【特許文献１】特開２０１３−２５０２９３号公報
【発明の概要】
【発明が解決しようとする課題】
【０００４】
しかしながら、特許文献１の構成では、フォーカス群である第２群の径が大きく、そのため重量も重くなっており、フォーカスの高速化に際して不利である。特許文献２の構成では、フォーカス群の径は小さくなって改善されている反面、レンズ構成枚数が３枚と多く、十分な軽量化がなされていない。
【０００５】
本発明は、上記に鑑みてなされたものであって、デジタルカメラの交換レンズシステム用途として最適であり、特にフォーカス群の軽量化を図った、高性能な望遠レンズ及びそれを有する撮像装置を提供することを目的とする。
【課題を解決するための手段】
【０００６】
上述した課題を解決し、目的を達成するために、本発明の望遠レンズは、物体側より順に、正屈折力の第１群と、負屈折力の第２群と、正屈折力の第３群と、を有し、第２群を像側へ移動することによって無限遠物点から近距離物点への合焦を行い、下記の条件式（１）を満足することを特徴とする。
０．２＜Ｙ2／Ｙ1a＜０．３２      （１）
ここで、
Ｙ2は、第２群の入射面における軸上光線の最大光線高、
Ｙ1aは、第１群の入射面における軸上光線の最大光線高、
である。
【０００７】
また、本発明の撮像装置は、上述の望遠レンズと、撮像面を持ち且つ望遠レンズにより撮像面上に形成された像を電気信号に変換する撮像素子と、を有することを特徴とする。
【発明の効果】
【０００８】
本発明は、デジタルカメラの交換レンズシステム用途として最適であり、特にフォーカス群の軽量化を図り、動画撮影にも好適であり、高性能な望遠レンズ及びそれを有する撮像装置を提供できるという効果を奏する。
【図面の簡単な説明】
【０００９】
【図１】（ａ）は実施例１に係る望遠レンズの無限遠物点合焦時のレンズ断面図である。（ｂ）は実施例２に係る望遠レンズの無限遠物点合焦時のレンズ断面図である。
【図２】（ａ）は実施例３に係る望遠レンズの無限遠物点合焦時のレンズ断面図である。（ｂ）は実施例４に係る望遠レンズの無限遠物点合焦時のレンズ断面図である。
【図３】（ａ）は実施例５に係る望遠レンズの無限遠物点合焦時のレンズ断面図である。（ｂ）は実施例６に係る望遠レンズの無限遠物点合焦時のレンズ断面図である。
【図４】（ａ）〜（ｄ）は実施例１にかかる望遠レンズの無限遠物点合焦時における球面収差（ＳＡ）、非点収差（ＡＳ）、歪曲収差（ＤＴ）、倍率色収差（ＣＣ）を示す図である。（ｅ）〜（ｈ）は実施例２にかかる望遠レンズの無限遠物点合焦時における球面収差（ＳＡ）、非点収差（ＡＳ）、歪曲収差（ＤＴ）、倍率色収差（ＣＣ）を示す図である。
【図５】（ａ）〜（ｄ）は実施例３にかかる望遠レンズの無限遠物点合焦時における球面収差（ＳＡ）、非点収差（ＡＳ）、歪曲収差（ＤＴ）、倍率色収差（ＣＣ）を示す図である。（ｅ）〜（ｈ）は実施例４にかかる望遠レンズの無限遠物点合焦時における球面収差（ＳＡ）、非点収差（ＡＳ）、歪曲収差（ＤＴ）、倍率色収差（ＣＣ）を示す図である。
【図６】（ａ）〜（ｄ）は実施例５にかかる望遠レンズの無限遠物点合焦時における球面収差（ＳＡ）、非点収差（ＡＳ）、歪曲収差（ＤＴ）、倍率色収差（ＣＣ）を示す図である。（ｅ）〜（ｈ）は実施例６にかかる望遠レンズの無限遠物点合焦時における球面収差（ＳＡ）、非点収差（ＡＳ）、歪曲収差（ＤＴ）、倍率色収差（ＣＣ）を示す図である。
【図７】撮像装置の断面図である。
【図８】撮像装置の前方斜視図である。
【図９】撮像装置の後方斜視図である。
【図１０】撮像装置の主要部の内部回路の構成ブロック図である。
【発明を実施するための形態】
【００１０】
実施例の説明に先立ち、本発明のある態様に係る実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１１】
本実施形態の望遠レンズは、物体側より順に、正屈折力の第１群と、負屈折力の第２群と、正屈折力の第３群と、を有し、第２群を像側へ移動することによって無限遠物点から近距離物点への合焦を行い、下記の条件式（１）を満足することを特徴とする。
０．２＜Ｙ2／Ｙ1a＜０．３２      （１）
ここで、
Ｙ2は、第２群の入射面における軸上光線の最大光線高、
Ｙ1aは、第１群の入射面における軸上光線の最大光線高、
である。
【００１２】
望遠レンズは、その焦点距離の長さのために、レンズ径が大きくなることは避けられない。特に、入射光束径は、望遠レンズの仕様で決まる。このため、仕様に応じて、必要な大きさを確保しなければならない。本実施形態の望遠レンズは、正・負・正の３群で構成され、第２群でフォーカスを行っている。通常、この構成では、第２群の径も大きくなりがちであり、フォーカス群の重量が大きくなり、高速な駆動が難しくなる。ここで、本実施形態では、いわゆるインナーフォーカス方式を採用している。フォーカシングの際、第２群を像側へ移動することによって無限遠物点から近距離物点への合焦を行う。これにより、レンズ全長を固定できるため、操作性を向上できる。このように、本実施形態では、フォーカス群の小型化・軽量化を達成し、かつ収差補正の良好な望遠レンズを実現できる。
【００１３】
条件式（１）は、第１群の入射面における軸上光束の最大光線高と、第２群の入射面における軸上光束の最大光線高との比に関するものである。第１群へ入射する最大光線高は、望遠レンズの仕様で決まる。これに対して、第２群へ入射する最大光線高は、適切に設計することが可能である。
【００１４】
条件式（１）の上限を上回ると、第２群の径が大きくなり、軽量化が困難となる。条件式（２）の下限を下回るまで光線高を小さくすると、軽量化には有利であるが、第１群での収差補正が困難となる。あるいは、レンズ枚数の増加や全長の増加を招くので好ましくない。条件式（１）を満足することで、軽量であり、かつ良好な収差補正を達成できる。
【００１５】
なお、絞りは、第１群の最も像側に配置することが好ましい。これにより、絞りは、常に固定である上、全体の中央付近に配置することができる。この結果、軸外光線に対して収差補正が容易となる。
【００１６】
本実施形態では、第１群は、物体側より順に、１枚または２枚の正レンズからなる第１ａ群と、負正の接合レンズと正負の接合レンズからなる第１ｂ群と、単レンズまたは接合レンズからなる第１ｃ群により構成されることが望ましい。
【００１７】
第１ａ群は、入射光束を収斂させて、第１ａ群以降のレンズ径を小型化する役割を有する。第１ｂ群は、ｄ線における球面収差と色収差を補正するための役割を有する。第１ｂ群における各接合レンズを構成するレンズは、屈折率の差とアッベ数の差が大きいことが望ましい。また、第１ｂ群における各接合レンズを構成する正レンズとして、異常分散性の大きな硝材を使用することが好ましい。第１ｃ群は、光束の収斂作用と、ｄ線におけるコマ収差補正の役割を有する。第１ｃ群を接合レンズにより構成する場合、２枚のレンズの屈折率の差を大きくすることが好ましい。
【００１８】
本実施形態では、下記の条件式（２）を満足することが望ましい。
０．５５＜Ｙ1b／Ｙ1a＜０．８５      （２）
ここで、
Ｙ1aは、第１群の入射面における軸上光線の最大光線高、
Ｙ1bは、第１ｂ群の入射面における軸上光線の最大光線高、
である。
【００１９】
条件式（２）は、第１ａ群（＝第１群）の入射面における軸上光束の最大光線高と、第１ｂ群の入射面における軸上光束の最大光線高の比に関するものである。条件式（２）を満足することで、第１ｂ群の径を小さくできる。第１ｂ群に含まれる接合レンズは、いずれのレンズも高い加工精度が必要とされる。本実施形態では、条件式（２）を満足するように、レンズ径を小さくすることで、接合レンズの加工難易度を下げることができる。
【００２０】
条件式（２）の上限を上回って、第１ｂ群の径が大きくなると、レンズの加工が困難となる。
条件式（２）の下限を下回って、径が小さくなると、全レンズ長の大型化を招くか、または収差補正が困難となる。
【００２１】
本実施形態では、第２群は接合レンズからなることが望ましい。これにより、近距離物点での色収差を良好に補正することができる。
【００２２】
本実施形態では、第３群は、正屈折力の第３ａ群と、負屈折力の第３ｂ群と、正屈折力の第３ｃ群と、からなり、第３ｂ群を光軸と垂直な方向に移動させて、手ブレを補正することが望ましい。
【００２３】
このように、第３群においてパワー配置することで、手ブレ補正時の感度を上げることができる。これにより、第３ｂ群の移動量を小さくすることができる。この結果、手ブレ補正時の収差を良好に補正できる。なお、手ブレ補正時の感度とは、レンズ群の移動量に対する像の変動量を意味する。
【００２４】
本実施形態では、第３ａ群は、単レンズまたは接合レンズにて構成されることが望ましい。ここで、第３ａ群を接合レンズで構成する方が単レンズで構成するよりも、色収差をより良好に補正できる。
【００２５】
本実施形態では、第３ｂ群は、正負の接合レンズと負レンズにて構成されることが望ましい。これにより、手ブレ補正時の色収差と像面湾曲を良好に補正できる。
【００２６】
本実施形態では、第３ｃ群は、正負の接合レンズと正負の接合レンズにて構成されることが望ましい。
第３ｃ群に、２つの接合レンズを配置することにより、倍率色収差を良好に補正できる。特に、画面周辺の解像力の向上や色収差の性能向上に良い効果を得られる。
【００２７】
本実施形態は、下記の条件式（３）を満足することが望ましい。
７５＜νｄ1bp＜１００      （３）
ここで、
νｄ1bpは、第１ｂ群に含まれる正レンズの最小アッベ数、
である。
【００２８】
条件式（３）は、第１ｂ群に含まれる２枚の正レンズに関し、そのアッベ数を定めるものである。条件式（３）の上限を上回ると、レンズに使用できる硝材がなくなってしまう。条件式（３）の下限を下回ると、異常分散性の大きな硝材が存在しなくなる。本実施形態では、条件式（３）を満たすことで色収差を良好に補正できる。
【００２９】
本実施形態では、下記の条件式（４）を満足することが望ましい。
０．４２＜Ｄ12／Ｄ1＜０．７５      （４)
ここで、
Ｄ12は、第１ａ群の入射面から第１ｂ群の入射面までの距離、
Ｄ1は、第１ａ群の入射面から第１ｃ群の射出面までの距離、
である。
【００３０】
条件式（４）は、第１ａ群と第１ｂ群の距離に関するものである。条件式（４）の上限を上回ると、軸上光線の光線高が低くなる。このため、第１ｂ群以降での球面収差の補正が困難となる。あるいは、レンズの全長が大きくなり好ましくない。
条件式（４）の下限を下回ると、収差補正は有利である反面、第１ｂ群の加工が困難となる。本実施形態は、条件式（４）を満たすことで、加工しやすさと収差補正を良好に実現できる。
【００３１】
一方、近年の潮流として、静止画だけでなく動画撮影へのニーズが高まっている。このため、レンズ交換式のデジタルカメラにおいても、動画撮影機能に最適化された交換レンズが求められている。一般に、動画撮影においては、オートフォーカス（ＡＦ）を、常時働かせて合焦状態を維持しておく必要がある。その方法として、フォーカスレンズを合焦位置の前後に、常に微小量動かすこと、いわゆるウォブリングを行う。このとき、撮像された画像のコントラストの変化を測定し、合焦状態が変化したと判断された場合には、フォーカスレンズを適切に移動させる。そして、再度、合焦し直すように動作させる。このようなウォブリング機構により、被写体との距離が変化しても、常に合焦状態を維持し続けることができる。
【００３２】
ウォブリングでは、ボディのフレームレートに応じて、非常に高速な動作が必要とされる。このため、ウォブリングにおいて、適切な駆動制御を行うためには、フォーカスレンズの軽量化、移動量の少なさが求められている。
【００３３】
さらに、動画撮影では音声も同時に記録することが多い。このため、動画撮影時に、ウォブリングに伴い音が発生すると、この音が音声として記録されてしまう。このように、ウォブリング時の静音化も重要な課題である。
なお、通常はフォーカスレンズとウォブリングレンズとは同一のレンズである構成が多い。しかしながら、これに限られず、フォーカスレンズとウォブリングレンズを別々のレンズ群として構成することもある。
【００３４】
このように、動画撮影に対応するレンズは、多くの解決すべき課題を有する。特にフォーカスレンズ群には、軽量化が求められている。本実施形態は、このような課題を解決する事も可能であり、上述したようなレンズ構成を用いることにより、フォーカス群の小型化・軽量化を実現している。
また、上述の構成は相互に複数を同時に満足することがより好ましい。また、一部の構成を同時に満足するようにしてもよい。
【００３５】
また、条件式については、それぞれの条件式を個別に満足させるようにしても良い。このようにすると、それぞれの効果を得やすくなるので好ましい。
【００３６】
また、各条件式について、以下のように下限値、または上限値を変更しても良い。このようにすることで、各条件式の効果を一層確実にできるので好ましい。
【００３７】
条件式（１）については、下限値を０．２５、上限値を０．３または０．２８にすることが好ましい。
条件式（２）については、下限値を０．５８、０．６０、上限値を０．８または０．７９にすることが好ましい。
条件式（３）については、下限値を７６、７８、上限値を９８、９６にすることが好ましい。
条件式（４）については、下限値を０．４３、０．４６、上限値を０．７３、０．７０にすることが好ましい。
【００３８】
以下、望遠レンズの実施例１〜６について説明する。実施例１〜６の無限遠物点合焦時のレンズ断面図を、それぞれ図１〜図３に示す。実施例１〜６は、物体側より順に、正屈折力の第１群Ｇ１、負屈折力の第２群Ｇ２、正屈折力の第３群Ｇ３から構成される。第２群Ｇ２は、像側へ移動して、無限遠物点から近距離物点へのフォーカシングを行う。
【００３９】
また、開口絞り（明るさ絞り）はＳ、像面（撮像面）はＩで示してある。フォーカスの際に移動するレンズ群Ｇ２の移動は光軸ＡＸに平行な矢印、手ぶれ補正の際に移動するレンズ群の動きは光軸ＡＸに垂直な矢印で示している。
【００４０】
なお、最も像側に位置するレンズ群と像面Ｉとの間に、ローパスフィルタを構成する平行平板や、電子撮像素子のカバーガラスを配置しても良い。この場合、平行平板の表面に、赤外光を制限する波長域制限コートを施しても良い。また、カバーガラスの表面に波長域制限用の多層膜を施してもよい。また、そのカバーガラスにローパスフィルタ作用を持たせるようにしてもよい。
【００４１】
図１（ａ）は実施例１の望遠レンズの断面構成を示す。
第１群Ｇ１は、物体側に凸面を向けた正メニスカスレンズＬ１と、物体側に凸面を向けた負メニスカスレンズＬ２と、物体側に凸面を向けた正メニスカスレンズＬ３と、両凸正レンズＬ４と、両凹負レンズＬ５と、物体側に凸面を向けた負メニスカスレンズＬ６と、両凸正レンズＬ７と、絞りＳにより構成される。
第１ａ群は、正メニスカスレンズＬ１で構成される。第１ｂ群は、負メニスカスレンズＬ２と、正メニスカスレンズＬ３と、正レンズＬ４と、負レンズＬ５で構成される。第１ｃ群は、負メニスカスレンズＬ６と、正レンズＬ７で構成される。
ここで、負メニスカスレンズＬ２と正メニスカスレンズＬ３は接合されている。正レンズＬ４と負レンズＬ５は接合されている。負メニスカスレンズＬ６と正レンズＬ７は接合されている。
第２群Ｇ２は、両凸正レンズＬ８と、両凹負レンズＬ９とで構成される。正レンズＬ８と負レンズＬ９は接合されている。近距離物点へのフォーカスにおいて、第２群Ｇ２は単調に像側へ移動する。
第３群Ｇ３は、物体側に凸面を向けた正メニスカスレンズＬ１０と、両凸正レンズＬ１１と、両凹負レンズＬ１２と、両凹負レンズＬ１３と、両凸正レンズＬ１４と、像側に凸面を向けた負メニスカスレンズＬ１５と、両凸正レンズＬ１６と、像側に凸面を向けた負メニスカスレンズＬ１７とで構成される。
第３ａ群は、正メニスカスレンズＬ１０で構成される。第３ｂ群は、正レンズＬ１１と、負レンズＬ１２と、負レンズＬ１３で構成される。第３ｃ群は、正レンズＬ１４と、負メニスカスレンズＬ１５と、正レンズＬ１６と、負メニスカスレンズＬ１７で構成される。
ここで、正レンズＬ１１と負レンズＬ１２は接合されている。正レンズＬ１４と負メニスカスレンズＬ１５は接合されている。正レンズＬ１６と負メニスカスレンズＬ１７は接合されている。
【００４２】
また、手ぶれ補正時、第３ｂ群が光軸ＡＸと直交する方向に移動する。
【００４３】
図１（ｂ）は実施例２の望遠レンズの断面構成を示す。
第１群Ｇ１は、物体側に凸面を向けた正メニスカスレンズＬ１と、物体側に凸面を向けた正メニスカスレンズＬ２と、物体側に凸面を向けた負メニスカスレンズＬ３と、物体側に凸面を向けた正メニスカスレンズＬ４と、両凸正レンズＬ５と、両凹負レンズＬ６と、物体側に凸面を向けた正メニスカスレンズＬ７と、絞りＳにより構成される。
第１ａ群は、正メニスカスレンズＬ１と、正メニスカスレンズＬ２で構成される。第１ｂ群は、負メニスカスレンズＬ３と、正レンズＬ４と、正レンズＬ５と、負レンズＬ６と、正メニスカスレンズＬ７で構成される。第１ｃ群は、正レンズＬ７で構成される。
ここで、負メニスカスレンズＬ３と正メニスカスレンズＬ４は接合されている。正レンズＬ５と負レンズＬ６は接合されている。
第２群Ｇ２は、両凸正レンズＬ８と、両凹負レンズＬ９とで構成される。正レンズＬ８と負レンズＬ９は接合されている。近距離物点へのフォーカスにおいて、第２群Ｇ２は単調に像側へ移動する。
第３群Ｇ３は、両凸正レンズＬ１０と、像側に凸面を向けた負メニスカスレンズＬ１１と、像側に凸面を向けた正メニスカスレンズＬ１２と、両凹負レンズＬ１３と、両凹負レンズＬ１４と、両凸正レンズＬ１５と、像側に凸面を向けた負メニスカスレンズＬ１６と、両凸正レンズＬ１７と、像側に凸面を向けた負メニスカスレンズＬ１８とで構成される。
第３ａ群は、正レンズＬ１０と、負メニスカスレンズＬ１１で構成される。第３ｂ群は、正メニスカスレンズＬ１２と、負レンズＬ１３と、負レンズＬ１４で構成される。第３ｃ群は、正レンズＬ１５と、負メニスカスレンズＬ１６と、正レンズＬ１７と、負メニスカスレンズＬ１８とで構成される。
ここで、正レンズＬ１０と負メニスカスレンズＬ１１は接合されている。正メニスカスレンズＬ１２と負レンズＬ１３は接合されている。正レンズＬ１５と負メニスカスレンズＬ１６は接合されている。正レンズＬ１７と負メニスカスレンズＬ１８は接合されている。
【００４４】
また、手ぶれ補正時、第３ｂ群が光軸ＡＸと直交する方向に移動する。
【００４５】
図２（ａ）は実施例３の望遠レンズの断面構成を示す。
第１群Ｇ１は、物体側に凸面を向けた正メニスカスレンズＬ１と、物体側に凸面を向けた負メニスカスレンズＬ２と、物体側に凸面を向けた正メニスカスレンズＬ３と、両凸正レンズＬ４と、両凹負レンズＬ５と、物体側に凸面を向けた負メニスカスレンズＬ６と、両凸正レンズＬ７と、絞りＳにより構成される。
第１ａ群は、正メニスカスレンズＬ１で構成される。第１ｂ群は、負メニスカスレンズＬ２と、正メニスカスレンズＬ３と、正レンズＬ４と、負レンズＬ５で構成される。第１ｃ群は、負メニスカスレンズＬ６と、正レンズＬ７で構成される。
ここで、負メニスカスレンズＬ２と正メニスカスレンズＬ３は接合されている。正レンズＬ４と負レンズＬ５は接合されている。負メニスカスレンズＬ６と正レンズＬ７は接合されている。
第２群Ｇ２は、両凸正レンズＬ８と、両凹負レンズＬ９とで構成される。正レンズＬ８と負レンズＬ９は接合されている。近距離物点へのフォーカスにおいて、第２群Ｇ２は単調に像側へ移動する。
第３群Ｇ３は、両凸正レンズＬ１０と、両凸正レンズＬ１１と、両凹負レンズＬ１２と、両凹負レンズＬ１３と、両凸正レンズＬ１４と、像側に凸面を向けた負メニスカスレンズＬ１５と、両凸正レンズＬ１６と、像側に凸面を向けた負メニスカスレンズＬ１７とで構成される。
第３ａ群は、正レンズＬ１０で構成される。第３ｂ群は、正レンズＬ１１と、負レンズＬ１２と、負レンズＬ１３で構成される。第３ｃ群は、正レンズＬ１４と、負メニスカスレンズＬ１５と、正レンズＬ１６と、負メニスカスレンズＬ１７で構成される。
ここで、正レンズＬ１１と負レンズＬ１２は接合されている。正レンズＬ１４と負メニスカスレンズＬ１５は接合されている。正レンズＬ１６と負メニスカスレンズＬ１７は接合されている。
【００４６】
また、手ぶれ補正時、第３ｂ群が光軸ＡＸと直交する方向に移動する。
【００４７】
図２（ｂ）は実施例４の望遠レンズの断面構成を示す。
第１群Ｇ１は、物体側に凸面を向けた正メニスカスレンズＬ１と、物体側に凸面を向けた負メニスカスレンズＬ２と、物体側に凸面を向けた正メニスカスレンズＬ３と、両凸正レンズＬ４と、両凹負レンズＬ５と、物体側に凸面を向けた負メニスカスレンズＬ６と、両凸正レンズＬ７と、絞りＳにより構成される。
第１ａ群は、正メニスカスレンズＬ１で構成される。第１ｂ群は、負メニスカスレンズＬ２と、正メニスカスレンズＬ３と、正レンズＬ４と、負レンズＬ５で構成される。第１ｃ群は、負メニスカスレンズＬ６と、正レンズＬ７で構成される。
ここで、負メニスカスレンズＬ２と正メニスカスレンズＬ３は接合されている。正レンズＬ４と負レンズＬ５は接合されている。負メニスカスレンズＬ６と正レンズＬ７は接合されている。
第２群Ｇ２は、両凸正レンズＬ８と、両凹負レンズＬ９とで構成される。正レンズＬ８と負レンズＬ９は接合されている。近距離物点へのフォーカスにおいて、第２群Ｇ２は単調に像側へ移動する。
第３群Ｇ３は、両凸正レンズＬ１０と、両凸正レンズＬ１１と、両凹負レンズＬ１２と、両凹負レンズＬ１３と、両凸正レンズＬ１４と、像側に凸面を向けた負メニスカスレンズＬ１５と、両凸正レンズＬ１６と、像側に凸面を向けた負メニスカスレンズＬ１７とで構成される。
第３ａ群は、正レンズＬ１０で構成される。第３ｂ群は、正レンズＬ１１と、負レンズＬ１２と、負レンズＬ１３で構成される。第３ｃ群は、正レンズＬ１４と、負メニスカスレンズＬ１５と、正レンズＬ１６と、負メニスカスレンズＬ１７で構成される。
ここで、正レンズＬ１１と負レンズＬ１２は接合されている。正レンズＬ１４と負メニスカスレンズＬ１５は接合されている。正レンズＬ１６と負メニスカスレンズＬ１７は接合されている。
【００４８】
また、手ぶれ補正時、第３ｂ群が光軸ＡＸと直交する方向に移動する。
【００４９】
図３（ａ）は実施例５の望遠レンズの断面構成を示す。
第１群Ｇ１は、物体側に凸面を向けた正メニスカスレンズＬ１と、物体側に凸面を向けた正メニスカスレンズＬ２と、物体側に凸面を向けた負メニスカスレンズＬ３と、物体側に凸面を向けた正メニスカスレンズＬ４と、両凸正レンズＬ５と、両凹負レンズＬ６と、物体側に凸面を向けた正メニスカスレンズＬ７と、絞りＳにより構成される。
第１ａ群は、正メニスカスレンズＬ１と、正メニスカスレンズＬ２で構成される。第１ｂ群は、負メニスカスレンズＬ３と、正メニスカスレンズＬ４と、正レンズＬ５と、負レンズＬ６で構成される。第１ｃ群は、正メニスカスレンズＬ７で構成される。
ここで、負メニスカスレンズＬ３と正メニスカスレンズＬ４は接合されている。正レンズＬ５と負レンズＬ６は接合されている。
第２群Ｇ２は、両凸正レンズＬ８と、両凹負レンズＬ９とで構成される。正レンズＬ８と負レンズＬ９は接合されている。近距離物点へのフォーカスにおいて、第２群Ｇ２は単調に像側へ移動する。
第３群Ｇ３は、物体側に凸面を向けた負メニスカスレンズＬ１０と、両凸正レンズＬ１１と、像側に凸面を向けた正メニスカスレンズＬ１２と、両凹負レンズＬ１３と、両凹負レンズＬ１４と、両凸正レンズＬ１５と、像側に凸面を向けた負メニスカスレンズＬ１６と、両凸正レンズＬ１７と、像側に凸面を向けた負メニスカスレンズＬ１８とで構成される。
第３ａ群は、負メニスカスレンズＬ１０と、正レンズＬ１１で構成される。第３ｂ群は、正メニスカスレンズＬ１２と、負レンズＬ１３と、負レンズＬ１４で構成される。第３ｃ群は、正レンズＬ１５と、負メニスカスレンズＬ１６と、正レンズＬ１７と、負メニスカスレンズＬ１８とで構成される。
ここで、負メニスカスレンズＬ１０と正レンズＬ１１は接合されている。正メニスカスレンズＬ１２と負レンズＬ１３は接合されている。正レンズＬ１５と負メニスカスレンズＬ１６は接合されている。正レンズＬ１７と負メニスカスレンズＬ１８は接合されている。
【００５０】
また、手ぶれ補正時、第３ｂ群が光軸ＡＸと直交する方向に移動する。
【００５１】
図３（ｂ）は実施例６の望遠レンズの断面構成を示す。
第１群Ｇ１は、物体側に凸面を向けた正メニスカスレンズＬ１と、物体側に凸面を向けた正メニスカスレンズＬ２と、物体側に凸面を向けた負メニスカスレンズＬ３と、物体側に凸面を向けた正メニスカスレンズＬ４と、両凸正レンズＬ５と、両凹負レンズＬ６と、物体側に凸面を向けた負メニスカスレンズＬ７と、両凸正レンズＬ８と、絞りＳにより構成される。
第１ａ群は、正メニスカスレンズＬ１と、正メニスカスレンズＬ２で構成される。第１ｂ群は、負メニスカスレンズＬ３と、正メニスカスレンズＬ４と、正レンズＬ５と、負レンズＬ６で構成される。第１ｃ群は、負メニスカスレンズＬ７と、正レンズＬ８で構成される。
ここで、負メニスカスレンズＬ３と正メニスカスレンズＬ４は接合されている。正レンズＬ５と負レンズＬ６は接合されている。負メニスカスレンズＬ７と正レンズＬ８は接合されている。
第２群Ｇ２は、両凸正レンズＬ９と、両凹負レンズＬ１０とで構成される。正レンズＬ９と負レンズＬ１０は接合されている。近距離物点へのフォーカスにおいて、第２群Ｇ２は単調に像側へ移動する。
第３群Ｇ３は、物体側に凸面を向けた負メニスカスレンズＬ１１と、両凸正レンズＬ１２と、両凸正レンズＬ１３と、両凹負レンズＬ１４と、両凹負レンズＬ１５と、両凸正レンズＬ１６と、像側に凸面を向けた負メニスカスレンズＬ１７と、両凸正レンズＬ１８と、像側に凸面を向けた負メニスカスレンズＬ１９とで構成される。
第３ａ群は、負メニスカスレンズＬ１１と、正レンズＬ１２で構成される。第３ｂ群は、正レンズＬ１３と、負レンズＬ１４と、負レンズＬ１５で構成される。第３ｃ群は、正レンズＬ１６と、負メニスカスレンズＬ１７と、正レンズＬ１８と、負メニスカスレンズＬ１９とで構成される。
ここで、負メニスカスレンズＬ１１と正レンズＬ１２は接合されている。正レンズＬ１３と負レンズＬ１４は接合されている。正レンズＬ１６と負メニスカスレンズＬ１７は接合されている。正レンズＬ１８と負メニスカスレンズＬ１９は接合されている。
【００５２】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数である。また、ｆは全系の焦点距離、Ｆno．はＦナンバー、ωは半画角、ＩＨは像高、ＢＦはバックフォーカス、全長は、望遠レンズの最も物体側のレンズ面から最も像側のレンズ面までの距離にバックフォーカスを加えたものである。なお、ＢＦは、レンズ最終面から近軸像面までの距離を空気換算して表したものである。
【００５３】
数値実施例１
単位  ｍｍ
面データ
面番号       r           d            nd       νd
1       82.391      10.50        1.48749    70.23
2      280.921      45.60
3       82.520       2.96        1.74100    52.64
4       47.128       9.79        1.43700    95.10
5      346.425       1.30
6       74.653       9.45        1.43700    95.10
7     -119.184       2.38        1.80610    40.92
8      164.514      28.52
9       77.016       1.90        1.77250    49.60
10       41.957       7.34        1.54814    45.79
11     -263.942       3.95
12(絞り)   ∞         可変
13      164.735       1.88        1.80810    22.76
14     -172.861       0.97        1.71300    53.87
15       26.686       可変
16       30.684       3.61        1.49700    81.61
17      529.265       3.30
18      182.862       3.25        1.80810    22.76
19      -38.287       0.90        1.60311    60.64
20       20.648       5.08
21      -26.287       0.90        1.71300    53.87
22      124.505       2.28
23       60.842       8.12        1.58313    59.38
24      -24.754       1.80        1.92286    20.88
25      -40.288       0.29
26      112.212       9.46        1.72047    34.71
27      -22.904       1.80        1.92286    20.88
28      -44.272      31.75
29         ∞         4.00        1.51633    64.14
30         ∞         0.80
像面
群間隔
無限遠物点        1.4m
d12       20.300        37.495
d15       24.210         7.015
各種データ（無限遠物点）
焦点距離f         293.94
Fno                 4.08
画角（２ω）        4.23°
像高IH             10.82
BF(in AIR)         35.19
全長(in AIR)      247.03
【００５４】
数値実施例２
単位  ｍｍ
面データ
面番号       r           d            nd       νd
1      152.697       7.35        1.48749    70.23
2      635.660      17.00
3       65.873       9.98        1.49700    81.61
4      168.604      22.65
5       83.128       3.00        1.83400    37.16
6       39.401       9.99        1.49700    81.61
7      247.375       0.20
8       47.092       9.09        1.43700    95.10
9     -375.772       2.50        1.77250    49.60
10       52.273      16.34
11      103.357       4.29        1.80518    25.46
12     1037.201       4.13
13(絞り)   ∞         可変
14     5156.932       2.54        1.85478    24.80
15      -52.053       0.90        1.71300    53.87
16       28.700       可変
17       30.889       6.80        1.49700    81.61
18      -37.936       1.50        1.85478    24.80
19      -60.988       3.10
20     -230.987       3.79        1.85478    24.80
21      -27.890       1.00        1.69680    55.53
22       34.148       3.37
23      -44.563       1.00        1.58313    59.38
24       32.470       3.42
25       43.045       9.01        1.64769    33.79
26      -22.000       1.60        1.92286    20.88
27      -88.862       1.50
28       72.000       8.75        1.59270    35.31
29      -26.858       1.70        1.92286    20.88
30      -40.716      29.05
31         ∞         4.00        1.51633    64.14
32         ∞         0.80
像面
群間隔
無限遠物点        1.4m
d13       20.000        37.439
d16       19.840         2.401
各種データ（無限遠物点）
焦点距離f         294.10
Fno                 4.080
画角（２ω）        4.23°
像高IH             10.82
BF(in AIR)         32.49
全長(in AIR)      228.83
【００５５】
数値実施例３
単位  ｍｍ
面データ
面番号       r           d            nd       νd
1       83.614      10.60        1.48749    70.23
2      354.620      44.96
3      121.115       3.20        1.73400    51.47
4       51.291       9.20        1.43875    94.93
5      492.362       1.00
6       63.414      10.48        1.43875    94.93
7     -127.021       3.06        1.80610    40.92
8      204.246      23.99
9       73.423       2.67        1.73400    51.47
10       38.139       7.38        1.54814    45.79
11     -653.693       4.07
12(絞り)   ∞         可変
13      684.319       2.10        1.80810    22.76
14      -99.610       0.80        1.71300    53.87
15       30.683       可変
16       35.344       5.38        1.43875    94.93
17      -90.808       3.94
18      181.821       2.45        1.92286    18.90
19      -68.416       0.90        1.61800    63.40
20       21.925       4.19
21      -34.422       0.90        1.71300    53.87
22       54.789       3.11
23       57.947       7.94        1.74951    35.33
24      -24.316       1.80        1.92286    20.88
25      -82.795       0.20
26       60.000       8.58        1.65412    39.68
27      -26.918       2.30        1.92286    20.88
28      -50.468      30.12
29         ∞         4.00        1.51633    64.14
30         ∞         0.80
像面
群間隔
無限遠物点         1.4m
d12       20.350        37.180
d15       24.090         7.260
各種データ（無限遠物点）
焦点距離f         291.04
Fno                 4.08
画角（２ω）        4.27°
像高IH             10.82
BF(in AIR)         33.56
全長(in AIR)      243.20
【００５６】
数値実施例４
単位  ｍｍ
面データ
面番号       r           d            nd       νd
1       84.042      10.54        1.48749    70.23
2      355.169      45.98
3      117.315       3.20        1.73400    51.47
4       50.625       9.17        1.43875    94.93
5      436.317       1.00
6       62.921      10.37        1.43875    94.93
7     -126.963       3.06        1.80610    40.92
8      220.101      23.97
9       77.092       2.61        1.73400    51.47
10       39.084       7.18        1.54814    45.79
11     -608.540       3.53
12(絞り)   ∞         可変
13      785.048       2.10        1.80810    22.76
14      -97.884       0.80        1.71300    53.87
15       30.770       可変
16       35.022       5.52        1.43875    94.93
17      -88.540       3.94
18      272.276       2.45        1.92286    20.88
19      -57.482       0.90        1.61800    63.40
20       22.993       3.96
21      -35.578       0.90        1.69680    55.53
22       47.710       3.28
23       55.325       8.11        1.74951    35.33
24      -23.482       1.80        1.92286    20.88
25      -79.458       0.30
26       55.293       8.49        1.59551    39.24
27      -27.707       2.30        1.92286    20.88
28      -47.799      29.45
29         ∞         4.00        1.51633    64.14
30         ∞         0.80
像面
群間隔
無限遠物点        1.4m
d12       20.300        37.137
d15       23.990         7.153
各種データ（無限遠物点）
焦点距離f         291.00
Fno                 4.08
画角（２ω）        4.27°
像高IH             10.82
BF(in AIR)         32.89
全長(in AIR)      242.64
【００５７】
数値実施例５
単位  ｍｍ
面データ
面番号       r           d            nd       νd
1      100.000       6.30        1.48749    70.23
2      185.738      30.22
3       65.495       8.86        1.49700    81.61
4      182.775      31.49
5      102.065       3.00        1.83400    37.16
6       35.358       9.46        1.49700    81.61
7      353.069       3.03
8       50.366       8.26        1.43700    95.10
9     -127.828       2.60        1.77250    49.60
10       68.292       3.78
11       60.689       4.19        1.80518    25.46
12      184.940       3.74
13(絞り)   ∞         可変
14     3189.272       1.86        1.84666    23.78
15     -102.991       1.00        1.77250    49.60
16       33.769       可変
17       36.244       1.50        1.84666    23.78
18       25.239       5.84        1.49700    81.61
19      -65.798       3.29
20     -231.178       3.35        1.80518    25.46
21      -26.952       1.00        1.69680    55.53
22       25.434       3.38
23      -44.292       1.00        1.58313    59.38
24       58.276       3.30
25       47.386       6.21        1.64769    33.79
26      -44.237       1.50        1.92286    18.90
27      -72.107       1.11
28       55.076       9.00        1.69895    30.13
29      -30.980       1.50        1.92286    18.90
30     -100.926      29.84
31         ∞         4.00        1.51633    64.14
32         ∞         0.80
像面
群間隔
無限遠物点       1.4m
d13       21.850        39.351
d16       22.000         4.499
各種データ（無限遠物点）
焦点距離f         294.00
Fno                 4.08
画角（２ω）        4.21°
像高IH             10.82
BF(in AIR)         33.28
全長(in AIR)      236.90
【００５８】
数値実施例６
単位  ｍｍ
面データ
面番号       r           d            nd       νd
1      100.000       8.00        1.48749    70.23
2      190.479      30.50
3      275.922       4.66        1.49700    81.54
4     1341.851      26.00
5       96.636       3.20        1.83481    42.71
6       58.200       9.57        1.49700    81.54
7     2218.640       0.20
8       76.585       9.39        1.43875    94.93
9     -156.187       2.60        1.75500    52.32
10      163.211      30.47
11      204.208       3.00        1.69100    54.82
12       53.155       6.00        1.57135    52.97
13     -239.111       2.68
14(絞り)   ∞         可変
15      632.607       2.03        1.85478    24.80
16      -95.464       0.90        1.75500    52.32
17       34.618       可変
18       29.238       1.85        1.85478    24.80
19       22.213       6.00        1.48749    70.23
20      -96.295       3.10
21      100.398       3.18        1.85478    24.80
22      -45.430       0.90        1.72916    54.68
23       24.049       3.79
24      -34.481       0.90        1.69680    55.53
25       46.160       3.30
26       57.204       6.85        1.60300    65.44
27      -28.719       1.60        1.83400    37.16
28      -56.678       0.64
29       48.060      10.00        1.61340    44.27
30      -24.953       1.50        1.69895    30.13
31      -83.250      26.79
32         ∞         4.00        1.51633    64.14
33         ∞         0.80
像面
群間隔
無限遠物点       1.4m
d14       21.850        41.737
d17       22.000         2.113
各種データ（無限遠物点）
焦点距離          294.00
Fno                 4.08
画角（２ω）        4.22°
像高               10.82
BF(in AIR)         30.23
全長(in AIR)      256.89
【００５９】
以上の実施例１〜６の収差図を、それぞれ図４〜図６に示す。一つの実施例に対して、無限遠物点合焦時における収差図を示している。また、各図中、”ＦＩＹ”は最大像高を示す。
これらの収差図において、それぞれ、球面収差（ＳＡ）、非点収差（ＡＳ）、歪曲収差（ＤＴ）、倍率色収差（ＣＣ）を示す。
【００６０】
次に、各実施例における条件式の値を掲げる。
条件式      実施例１  実施例２  実施例３  実施例４  実施例５  実施例６
(1) Y2/Y1a      0.266     0.272     0.272     0.271     0.260     0.269
(2) Y1b/Y1a     0.755     0.721     0.753     0.749     0.641     0.783
(3) νd1bp      95.10     81.61     94.93     94.93     81.61     81.54
(4) D12/D1      0.469     0.556     0.477     0.483     0.691     0.518
【００６１】
図７は、電子撮像装置としての一眼ミラーレスカメラの断面図である。図７において、一眼ミラーレスカメラ１の鏡筒内には撮影レンズ系２が配置される。マウント部３は、撮影レンズ系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【００６２】
そして、一眼ミラーレスカメラ１の撮影レンズ系２として、例えば上記実施例１〜６に示した望遠レンズが用いられる。
【００６３】
図８、図９は、実施例１〜６に示した望遠レンズを有する撮像装置の構成の概念図を示す。図８は撮像装置としてのデジタルカメラ４０の外観を示す前方斜視図、図９は同後方斜視図である。このデジタルカメラ４０の撮影光学系４１に、本実施例の望遠レンズが用いられている。
【００６４】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の望遠レンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【００６５】
図１０は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【００６６】
図１０に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【００６７】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【００６８】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【００６９】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【００７０】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【００７１】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【００７２】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【００７３】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【００７４】
このように構成されたデジタルカメラ４０は、撮影光学系４１として本実施例の望遠レンズを採用することで、超広画角、小型でありながら、画質を劣化させずに高解像の画像を得るのに有利な撮像装置とすることが可能となる。
【産業上の利用可能性】
【００７５】
以上のように、本発明には、交換レンズ用途として使用でき、動画撮影にも好適な、高性能な望遠レンズ及びそれを有する撮像装置に適している。
【符号の説明】
【００７６】
Ｇ１  第１レンズ群
Ｇ２  第２レンズ群
Ｇ３  第３レンズ群
Ｓ  開口絞り
Ｉ  像面
１  一眼ミラーレスカメラ
２  撮影レンズ系
３  鏡筒のマウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2016080891.tif 000003
【図２】
2016080891.tif 000004
【図３】
2016080891.tif 000005
【図４】
2016080891.tif 000006
【図５】
2016080891.tif 000007
【図６】
2016080891.tif 000008
【図７】
2016080891.tif 000009
【図８】
2016080891.tif 000010
【図９】
2016080891.tif 000011
【図１０】
2016080891.tif 000012